(57)【要約】【課題】室内ファンの消費電力を適切に推定することができる信頼性にすぐれた空気調和機を提供する。【解決手段】室内ファンモータ１２への駆動電力を出力するインバータ５２のスイッチングのオン，オフデューティを検出し、そのオン，オフデューティから室内ファンモータ１２の消費電力Ｅｆを推定する。【選択図】    図２
2010096450.tif 000002
【特許請求の範囲】
【請求項１】
室内機および室外機からなる空気調和機において、
商用交流電源の電圧を直流に変換しそれをスイッチングにより交流に変換し、前記室内機の室内ファンモータへの駆動電力として出力するインバータと、
このインバータのスイッチングのオン，オフデューティから前記室内ファンモータの消費電力を推定する推定手段と、
を備えることを特徴とする空気調和機。
【請求項２】
室内機および室外機からなる空気調和機において、
商用交流電源の電圧を直流に変換しそれをスイッチングにより交流に変換し、前記室内機の室内ファンモータへの駆動電力として出力するインバータと、
このインバータの出力または前記室内ファンモータの状態から前記室内ファンモータの消費電力を推定する推定手段と、
前記室内機の吹出口に設けられている風向変更装置の動作に応じて、前記推定手段で推定される消費電力を補正する補正手段と、
を備えることを特徴とする空気調和機。
【請求項３】
前記商用交流電源の電圧レベルに応じて、前記推定手段で推定される消費電力を補正する補正手段、をさらに備えることを特徴とする請求項１または２に記載の空気調和機。
【請求項４】
前記室内機における室内熱交換器の温度に応じて、前記推定手段で推定される消費電力を補正する補正手段、をさらに備えることを特徴とする請求項１または２記載の空気調和機。
【請求項５】
前記推定手段で推定された消費電力または前記補正手段で補正された消費電力を含む当該空気調和機の総消費電力を算出する算出手段と、
この算出手段で算出される総消費電力を表示する表示手段と、
をさらに備えることを特徴とする請求項１乃至４のいずれかに記載の空気調和機。
【発明の詳細な説明】
【技術分野】
【０００１】
この発明は、室内ファンの消費電力を推定する空気調和機に関する。
【背景技術】
【０００２】
一般に、空気調和機の室内機は、室内熱交換器および室内ファンを有し、室内ファンの運転により、室内空気を吸い込んで室内熱交換器に通し、その室内熱交換器を経た空気を空調用空気として室内に吹き出す。
【０００３】
このような室内機における室内ファンの消費電力を検出する手段として、室内ファンモータの回転数から消費電力を推定する方法がある（例えば特許文献１）。  
【特許文献１】特開２００１−４１５４５号公報
【発明の開示】
【発明が解決しようとする課題】
【０００４】
上記のように、室内ファンモータの回転数のみから消費電力を推定するものでは、室内ファンモータの回転数が空気抵抗などの負荷に応じて増減するため、適切な推定が困難である。
【０００５】
すなわち、室温が低ければ、暖かいときに比べて室内空気は重くなり、室内ファンモータは同じ回転数でも負荷が重くなる。この場合、室内ファンモータでの消費電力量は多くなる。また、室内ファンによる空気の吹出し口での空気抵抗の変化によっても室内ファンモータでの消費電力量は変化する。例えば、吹出し口を狭くすると吹出し口での抵抗が大きくなり、風量が減少する。この場合、室内ファンモータでの仕事量が減少し、消費電力量は少なくなる。
【０００６】
このように室内ファンモータの消費電力推定は室内ファンの周囲の様々な状況変化に応じて変化し、適切な推定を困難なものとしている。
【０００７】
この発明は、上記事情を考慮したもので、その目的は、室内ファンの消費電力を適切に推定することができる信頼性にすぐれた空気調和機を提供することである。
【課題を解決するための手段】
【０００８】
請求項１に係る発明の空気調和機は、商用交流電源の電圧を直流に変換しそれをスイッチングにより交流に変換し、室内機の室内ファンモータへの駆動電力として出力するインバータと、このインバータのスイッチングのオン，オフデューティから前記室内ファンモータの消費電力を推定する推定手段と、を備える。
【０００９】
請求項２に係る発明の空気調和機は、商用交流電源の電圧を直流に変換しそれをスイッチングにより交流に変換し、室内機の室内ファンモータへの駆動電力として出力するインバータと、このインバータの出力または室内ファンモータの状態から室内ファンモータの消費電力を推定する推定手段と、室内機の吹出口に設けられている風向変更装置の動作に応じて、推定手段で推定される消費電力を補正する補正手段と、を備える。
【発明の効果】
【００１０】
請求項１及び請求項２に係る発明の空気調和機によれば、室内ファンの消費電力の推定精度を向上させることができ、信頼性が向上する。
【発明を実施するための最良の形態】
【００１１】
［１］以下、この発明の第１の実施形態について図面を参照しながら説明する。  
図１において、１は室内機で、前面部１ａの吸込口（図示しない）と対応する位置に可動パネル２、上面部に吸込口３、前面下部に吹出口４を有し、その前面部１ａの吸込口および吸込口３から吹出口４にかけての通風路に室内熱交換器（図示しない）および室内ファン（図示しない）を収容している。吹出口４には、吹出し風を上下方に調節するための上下方向ルーバ５ａ、吹出し風を左右方向に調節するための左右方向ルーバ５ｂが設けられている。
【００１２】
上記可動パネル２は、図示のように前方への突出移動が可能で、その突出移動によって内側の吸込口を開放し、前面部１ａに接する状態に復帰することによって内側の吸込口を閉塞する。また、可動パネル２は、後述の表示ユニット２０と対応する部位に透過表示部２ａを有する。この透過表示部２ａは、表示ユニット２０と共に表示手段を構成するもので、光を通す部材で形成され、表示ユニット２０の表示を透過する。
【００１３】
このような室内機１内の所定箇所に電気部品箱（図示しない）が配置され、その電気部品箱に図２に示す室内回路基板５０、送受光回路基板７０および表示回路基板８０が収容される。
【００１４】
室内回路基板５０は、商用交流電源ＡＣに接続され、その商用交流電源ＡＣの交流電圧を電源回路５１および室内ファン駆動用のインバータ５２に取込むとともに、商用交流電源ＡＣの交流電圧をパワーリレー５３により室外機の室外基板２００に供給する。なお、商用交流電源ＡＣと電源回路５１との間の通電ラインに、交流電圧Ｖａｃを検知する電圧センサ５４が接続される。
【００１５】
電源回路５１は、取込まれた交流電圧を降圧および整流し、直流電圧を室内回路基板５０、送受光回路基板７０、および表示回路基板８０の動作用として出力する。上記インバータ５２は、商用交流電源ＡＣの交流電圧を直流電圧に変換し、それをスイッチングにより可変周波数の交流電圧に変換し、室内ファンを駆動するためのＤＣブラシレスモータからなる室内ファンモータ１２への駆動電力として出力する。
【００１６】
そして、室内回路基板５０に、室内制御部（ＭＣＵ）６０、駆動回路６１，６３，６４，６５、高電圧発生回路６２およびシリアル回路６６が搭載される。室内制御部６０は、シリアル信号送受信回路６６を介した室外回路基板２００とのデータ送受信により、室外回路基板２００上の室外制御部２０１と共に、当該空気調和機の全体を制御する。なお、図示しない室外機内にはこの室外制御部２０１の他に一般的な構成である室外熱交換器、室外ファン、圧縮機および圧縮機を駆動するインバータ装置が収納されている。また、室外制御部２０１は室外機における消費電力を検出又は推定し、シリアル信号送受信回路６６を介して検出又は推定した消費電力データを室内制御部（ＭＣＵ）６０へ送信する。
【００１７】
駆動回路６１は、風向変更装置として機能する上下方向ルーバ５ａ及び左右方向ルーバ５ｂ、さらに前側の吸込口の開閉を行なう可動パネル２を駆動する。高電圧発生回路６２は、室内機１内の電気集塵機からなる空気清浄器１０へ高電圧を供給し、駆動回路９０は、換気用ファンモータ１１を駆動する。駆動回路６３は、送受光回路基板７０上の送受光ユニット７１を駆動する。駆動回路６４は、表示基板８０上の上記表示ユニット２０を駆動する。駆動回路６５は、室内制御部６０からの回転数設定指令（速度設定指令ともいう）に応じてオン，オフデューティＤｕを設定し設定されたオン，オフデューティＤｕに基づきインバータ５２に対するＰＷＭ信号のオン，オフスイッチング信号を生成して出力する。
【００１８】
また、室内制御部６０には、室内温度ＴＡを検知する室内温度センサ、室内熱交換器の温度ＴＣを検知する熱交換器温度センサ、室内湿度を検知する室内湿度センサなどを含むセンサ群６７が接続されている。
【００１９】
送受光ユニット７１は、リモートコントローラ（リモコンともいう）１００から発せられる操作用の赤外線光を受光するとともに、リモートコントローラ１００に対するデータ送信用の赤外線光を発する。
【００２０】
室内制御部６０の要部を図３に示す。  
総電力算出部１００にメモリ１０１、室外機電力検出部１０２、およびファンモータ電力推定部１０３が接続され、そのファンモータ電力推定部１０３に駆動回路６５の出力が供給される。
【００２１】
ファンモータ電力推定部１０３は、駆動回路６５からインバータ５２に供給されるオン，オフスイッチング信号のオン，オフデューティＤｕが入力される。このオン，オフデューティＤｕは、室内ファンモータ１２の消費電力Ｅｆに直接的に関わるものである。  
ファンモータ電力推定部１０３は、入力されたオン，オフデューティＤｕと、図４のオン，オフデューティと電力推定値との関係に基づく直線補完式により、室内ファンモータ１２の消費電力Ｅｆを推定する。図４のオン，オフデューティと電力推定値との関係に基づく直線補完式は、メモリ１０１に予め記憶されている。
【００２２】
室外機電力検出部１０２は、上記室外制御部２００から供給されるデータに基づき、室外機の消費電力Ｅｏを読み込む。
【００２３】
総電力算出部１００は、ファンモータ電力推定部１０３で推定される消費電力Ｅｆ、室外機電力検出部１０２で検出または推定される消費電力Ｅｏ、空気清浄器１０の消費電力Ｅｐ、換気用ファンモータ１１の消費電力Ｅｖ、表示ユニット２０の消費電力Ｅｄなどの総和を、当該空気調和機の総消費電力Ｅとして算出する。空気清浄器１０の消費電力Ｅｐ、換気用ファンモータ１１の消費電力Ｅｖ、表示ユニット２０の消費電力Ｅｄについては、略一定の消費電力であることから、メモリ１０１に予め記憶されている。
【００２４】
そして、総電力算出部１００で算出された総消費電力Ｅが表示ユニット２０で表示される。表示ユニット２０は、発光ダイオードによる７セグメント素子を２桁分有するとともに、各数字の間の［・］、電力の単位［ｋ］、［Ｗ］の表示素子を有する。この表示が可動パネル２の透過表示部２ａを透過してユーザーに提示される。すなわち、（瞬時）消費電力が１００Ｗ未満の場合、例えば５０Ｗでは「５０Ｗ」のように２桁の数字と［Ｗ］で表示される。１００Ｗ〜２ｋＷ未満では、２桁の数字とその間の［・］及び［ｋ］、［Ｗ］で表示される。５００Ｗでは、「０．５ｋＷ」、１８００ｋＷでは、「１．８ｋＷ」のように有効数字が２桁として表示される。なお、表示できない端数は四捨五入される。
【００２５】
このように、室内ファンモータ１２に供給されるオン，オフスイッチング信号のオン，オフデューティＤｕに基づいて室内ファンモータ１２の消費電力Ｅｆを推定することにより、空気抵抗などの負荷の影響による推定誤差を低減でき、消費電力Ｅｆを適切に推定することができる。これにより、電力推定の信頼性が大幅に向上する。
【００２６】
［２］次に、この発明の第２の実施形態について説明する。  
第２の実施形態では、室内機の吹出し風向を変更する風向変更装置の動作によって室内ファンモータの消費電力の推定値を補正して推定精度を向上される例である。この第２の実施形態では、室内制御部６０が図５のように構成される。すなわち、総電力算出部１００にメモリ１０１、室外機電力検出部１０２、ファンモータ電力推定部１０３が接続され、そのファンモータ電力推定部１０３に駆動回路６５が接続される。さらに、総電力算出部１００に補正値Ｅａ決定部１０５および補正値Ｅｂ決定部１０７が接続され、これら補正値Ｅａ決定部１０５および補正値Ｅｂ決定部１０７に、上下方向ルーバ５ａの上下方向角度Ｌａｖを入力するＬａｖ入力部１０６、左右方向ルーバ５ｂの水平方向角度Ｌｂｖを入力するＬｂｖ入力部１０８が、それぞれ接続される。上下方向ルーバ５ａの上下方向角度Ｌａｖ及び左右方向ルーバ５ｂの水平方向角度Ｌｂｖは、運転状況や使用者のリモコン操作によって室内制御部６０で決定されるため、各入力部１０６、１０８は室内制御部６０で決定された角度データを受け取る役割を果たす。
【００２７】
補正値Ｅａ決定部１０５は、Ｌａｖ入力部１０６に入力された上下方向ルーバ５ａの上下方向角度Ｌａｖに応じて、ファンモータ電力推定部１０３で推定される消費電力Ｅｆに対する補正値Ｅａ（Ｗ）を決定する。補正値Ｅｂ決定部１０７は、Ｌｂｖ入力部１０８に入力される左右方向ルーバ５ｂの左右方向角度Ｌｂｖに応じて、ファンモータ電力推定部１０３で推定される消費電力Ｅｆに対する補正値Ｅｂ（Ｗ）を決定する。
【００２８】
上下方向ルーバ５ａおよび左右方向ルーバ５ｂは室内ファンの送風経路に通風抵抗として存在し、しかもその抵抗は上下方向ルーバ５ａの上下方向角度Ｌａｖおよび左右方向ルーバ５ｂの水平方向角度Ｌｂｖに応じて変化する。この通風抵抗変化は室内ファンモータ１２にとって送風負荷変化となり、その負荷に応じて、推定消費電力Ｅｆに対する補正値Ｅａ，Ｅｂを決定するようにしている。負荷の変化と補正値Ｅａ，Ｅｂとの関係を図６に示しており、負荷が負荷基準点より大きくなるほど補正値Ｅａ，Ｅｂが＋側に増大していき、負荷が負荷基準点より小さくなるほど補正値Ｅａ，Ｅｂが−側に増大していく。この図から分かるように、ルーバの位置によって送風負荷が減少すれば室内ファンモータの消費電力は増加し、逆に送風負荷が増加すれば室内ファンモータの消費電力が減少するように各補正値は定められる。
【００２９】
具体的に、上下方向ルーバ５ａの上下方向角度Ｌａｖに応じて補正値Ｅａがどのように決定されるかを図７に示している。すなわち、上下方向ルーバ５ａが全開位置である上下方向角度Ｌａｖ＝“Ａ位置”とそれより少し閉じた上下方向角度Ｌａｖ＝“Ｂ位置”との間にあるとき、補正値Ｅａとして“−２Ｘ”が決定される。上下方向角度Ｌａｖ＝“Ｂ位置”と負荷基準点である上下方向角度Ｌａｖ＝“Ｃ位置”との間にあるとき、補正値Ｅａとして“−Ｘ”が決定される。上下方向角度Ｌａｖ＝“Ｃ位置”とそれより少し閉じた上下方向角度Ｌａｖ＝“Ｄ位置”との間にあるとき、補正値Ｅａとして“＋Ｘ”が決定される。上下方向角度Ｌａｖ＝“Ｄ位置”と全閉位置である上下方向角度Ｌａｖ＝“Ｅ位置”との間にあるとき、補正値Ｅａとして“＋２Ｘ”が決定される。
【００３０】
上下方向ルーバ５ａの場合、上下方向角度Ｌａｖが大きいほど負荷が軽くなるため、上下方向角度Ｌａｖが負荷基準点より大きくなるほど補正値Ｅａをマイナス方向に増やし、反対に、上下方向角度Ｌａｖが負荷基準点より小さくなるほど補正値Ｅａをプラス方向に増やしている。
【００３１】
左右方向ルーバ５ｂの左右方向角度Ｌｂｖに応じて補正値Ｅｂがどのように決定されるかを図８に示している。すなわち、左右方向ルーバ５ｂが最左側位置である左右方向角度Ｌｂｖ＝“Ａ位置”とそれより少し右側の左右方向角度Ｌｂｖ＝“Ｂ位置”との間にあるとき、補正値Ｅｂとして“−２Ｘ”が決定される。左右方向角度Ｌｂｖ＝“Ｂ位置”とそれよりさらに右側の左右方向角度Ｌｂｖ＝“Ｃ位置”との間にあるとき、補正値Ｅｂとして“−Ｘ”が決定される。左右方向角度Ｌｂｖ＝“Ｃ位置”と負荷基準点である左右方向角度Ｌｂｖ＝“Ｄ位置”との間にあるとき、補正値Ｅｂとして“＋Ｘ”が決定される。左右方向角度Ｌｂｖ＝“Ｄ位置”とそれより少し右側の左右方向角度Ｌｂｖ＝“Ｅ位置”との間にあるとき、補正値Ｅｂとして“＋Ｘ”が決定される。左右方向角度Ｌｂｖ＝“Ｅ位置”とそれよりさらに右側の左右方向角度Ｌｂｖ＝“Ｆ位置”との間にあるとき、補正値Ｅｂとして“−Ｘ”が決定される。左右方向角度Ｌｂｖ＝“Ｆ位置”と最右側位置である左右方向角度Ｌｂｖ＝“Ｇ位置”との間にあるとき、補正値Ｅｂとして“−２Ｘ”が決定される。
【００３２】
左右方向ルーバ５ｂの場合、左右方向角度Ｌｂｖが左右に大きいほど吹出し口を塞ぐことになるため、負荷が軽くなる。このため、左右方向角度Ｌｂｖが負荷基準点から左右に離れるほど補正値Ｅｂをマイナス方向に増やしている。
【００３３】
総電力算出部１００は、推定消費電力Ｅｆを補正値Ｅａ，Ｅｂに応じて補正する。この補正により、上下方向ルーバ５ａおよび左右方向ルーバ５ｂの角度位置に応じた空気抵抗負荷に影響を受けることなく、消費電力Ｅｆを適切に求めることができる。  
そして、総電力算出部１００は、補正後の消費電力Ｅｆ´、室外機電力検出部１０２で検出される消費電力Ｅｏ、空気清浄器１０の消費電力Ｅｐ、換気用ファンモータ１１の消費電力Ｅｖ、表示ユニット２０の消費電力Ｅｄなどの総和を、当該空気調和機の総消費電力Ｅとして算出する。算出された総消費電力Ｅは、表示ユニット２０で表示される。  
他の構成および作用は第１の実施形態と同じなので、その説明は省略する。
【００３４】
なお、本実施例においては、ファンモータ電力推定部１０３は、オン，オフデューティＤｕから室内ファンモータ１２の消費電力Ｅｆを推定するものだけでなく、従来例と同様に室内ファンの回転数から室内ファンモータ１２の消費電力を推定するものに適用しても推定の精度を上げることが出来る。
【００３５】
また、本実施例においては風向変更装置として、左右、上下の両方の風向変更用ルーバを備え、かつ両方のルーバの角度のそれぞれに応じて補正値を加える例で説明したが、いずれか一方のルーバのみを備えた室内機にも適用可能である。さらに、両方の風向変更用ルーバを備える室内機に対して、一方のルーバの角度のみに対して補正値を加えるようにしても従来の方式よりも消費電力の推定精度が向上する。
【００３６】
本実施例は、風向変更装置の動作によって室内ファンの負荷が変化することによる消費電力の変動分を補正することを特徴としており、板状のルーバー方式ではなく、吹出し風路全体を変形、移動させて風向を変更する空気調和機においても当然その風向変更に対して室内ファンの負荷が変化するため、適用が可能である。
【００３７】
［３］この発明の第３の実施形態について説明する。  
第３の実施形態では、室内制御部６０が図９のように構成される。すなわち、総電力算出部１００にメモリ１０１、室外機電力検出部１０２、ファンモータ電力推定部１０３が接続され、そのファンモータ電力推定部１０３に駆動回路６５が接続される。さらに、総電力算出部１００に補正値Ｅａｃ決定部１０９が接続される。
【００３８】
補正値Ｅａｃ決定部１０９は、電圧センサ５４で検知される交流電圧Ｖａｃに応じて、推定消費電力Ｅｆに対する補正値Ｅａｃを決定する。これは、同じオン，オフデューティで比較するとファンモータの特性が交流電圧が低いほうが高い場合よりも消費電力が少なくなるために行われる補正である。
【００３９】
交流電圧Ｖａｃに応じて補正値Ｅａｃがどのように決定されるかを図１０に示している。すなわち、交流電圧Ｖａｃが定格電圧Ｖａｃｏより所定電圧Ｖｃ以上低いとき、補正値Ｅａｃとして“−３Ｙ”が決定される。交流電圧Ｖａｃが定格電圧Ｖａｃｏより所定電圧Ｖｂ以上低くて上記（Ｖａｃｏ−Ｖｃ）より高いとき、補正値Ｅａｃとして“−２Ｙ”が決定される。交流電圧Ｖａｃが定格電圧Ｖａｃｏより所定電圧Ｖａ以上低くて上記（Ｖａｃｏ−Ｖｂ）より高いとき、補正値Ｅａｃとして“−Ｙ”が決定される。交流電圧Ｖａｃが定格電圧Ｖａｃｏより低くて上記（Ｖａｃｏ−Ｖａ）より高いとき、補正値Ｅａｃとして同様に“−Ｙ”が決定される。また、交流電圧Ｖａｃが定格電圧Ｖａｃｏより所定電圧Ｖｃ以上高いとき、補正値Ｅａｃとして“＋３Ｙ”が決定される。交流電圧Ｖａｃが定格電圧Ｖａｃｏより所定電圧Ｖｂ以上高くて上記（Ｖａｃｏ＋Ｖｃ）より低いとき、補正値Ｅａｃとして“＋２Ｙ”が決定される。交流電圧Ｖａｃが定格電圧Ｖａｃｏより所定電圧Ｖａ以上高くて上記（Ｖａｃｏ−Ｖｂ）より低いとき、補正値Ｅａｃとして“＋Ｙ”が決定される。交流電圧Ｖａｃが定格電圧Ｖａｃｏより高くて上記（Ｖａｃｏ−Ｖａ）より低いとき、補正値Ｅａｃとして同様に“＋Ｙ”が決定される。
【００４０】
総電力算出部１００は、推定消費電力Ｅｆを補正値Ｅａｃに応じて補正する。この補正により、商用交流電源ＡＣの交流電圧Ｖａｃの変動にかかわらず、室内ファンモータ１２の消費電力Ｅｆを適切に求めることができる。  
そして、総電力算出部１００は、補正後の消費電力Ｅｆ´、室外機電力検出部１０２で検出される消費電力Ｅｏ、空気清浄器１０の消費電力Ｅｐ、換気用ファンモータ１１の消費電力Ｅｖ、表示ユニット２０の消費電力Ｅｄなどの総和を、当該空気調和機の総消費電力Ｅとして算出する。算出された総消費電力Ｅは、表示ユニット２０で表示される。  
他の構成および作用は第１の実施形態と同じなので、その説明は省略する。
【００４１】
［４］この発明の第４の実施形態について説明する。  
第４の実施形態では、室内制御部６０が図１１のように構成される。すなわち、総電力算出部１００にメモリ１０１、室外機電力検出部１０２、ファンモータ電力推定部１０３が接続され、そのファンモータ電力推定部１０３に駆動回路６５が接続される。さらに、総電力算出部１００に補正値Ｅｃ決定部１１０が接続される。
【００４２】
補正値Ｅｃ決定部１１０は、センサ群６７の中の熱交換器温度センサによって検知される室内熱交換器温度ＴＣに応じて、推定消費電力Ｅｆに対する補正値Ｅｃを決定する。これは、室内ファンが送風する空気の温度が低いほど空気の比重が重くなり、その結果、送風負荷が重くなるということに対処するもので、送風空気の温度が低い場合には補正値Ｅｃを大きくする。なお、空気の温度として室内温度センサＴａの出力をもちいても良いが、この実施例の空気調和機では熱交換器の下流側に室内ファンが配置されていることから室内ファンの負荷となる空気は熱交換後の空気であるため、室内熱交換器温度ＴＣに基づいて補正値Ｅｃを決定している。一方、室内機の構造が、熱交換器の上流側に室内ファンが配置される場合（押し込み形）には、室内ファンの負荷となる空気は室内空気であるため、室内温度センサＴａの出力に応じて、推定消費電力Ｅｆに対する補正値Ｅｃを決定することが望ましい。
【００４３】
室内熱交換器温度ＴＣに応じて補正値Ｅｃがどのように決定されるかを図１２に示している。すなわち、室内熱交換器温度ＴＣが基準温度Ｔｃｏより所定温度Ｔｃ以上低いとき、補正値Ｅｃとして“＋３Ｚ”が決定される。室内熱交換器温度ＴＣが基準温度Ｔｃｏより所定温度Ｔｂ以上低くて上記（Ｔｃｏ−Ｔｃ）より高いとき、補正値Ｅｃとして“＋２Ｚ”が決定される。室内熱交換器温度ＴＣが基準温度Ｔｃｏより所定温度Ｔａ以上低くて上記（Ｔｃｏ−Ｔｂ）より高いとき、補正値Ｅｃとして“＋Ｚ”が決定される。室内熱交換器温度ＴＣが基準温度Ｔｃｏより低くて上記（Ｔｃｏ−Ｔａ）より高いとき、補正値Ｅｃとして同様に“＋Ｚ”が決定される。また、室内熱交換器温度ＴＣが基準温度Ｔｃｏより所定温度Ｔｃ以上高いとき、補正値Ｅｃとして“−３Ｚ”が決定される。室内熱交換器温度ＴＣが基準温度Ｔｃｏより所定温度Ｔｂ以上高くて上記（Ｔｃｏ＋Ｔｃ）より低いとき、補正値Ｅｃとして“−２Ｚ”が決定される。室内熱交換器温度ＴＣが基準温度Ｔｃｏより所定温度Ｔａ以上高くて上記（Ｔｃｏ−Ｔｂ）より低いとき、補正値Ｅｃとして“−Ｚ”が決定される。室内熱交換器温度ＴＣが基準温度Ｔｃｏより高くて上記（Ｔｃｏ−Ｔａ）より低いとき、補正値Ｅｃとして同様に“−Ｚ”が決定される。
【００４４】
総電力算出部１００は、推定消費電力Ｅｆを補正値Ｅｃに応じて補正する。この補正により、室内熱交換器温度ＴＣの変動にかかわらず、室内ファンモータ１２の消費電力Ｅｆを適切に求めることができる。  
そして、総電力算出部１００は、補正後の消費電力Ｅｆ´、室外機電力検出部１０２で検出される消費電力Ｅｏ、空気清浄器１０の消費電力Ｅｐ、換気用ファンモータ１１の消費電力Ｅｖ、表示ユニット２０の消費電力Ｅｄなどの総和を、当該空気調和機の総消費電力Ｅとして算出する。算出された総消費電力Ｅは、表示ユニット２０で表示される。  
他の構成および作用は第１の実施形態と同じなので、その説明は省略する。
【００４５】
［５］各実施形態の変形例  
なお、この発明は上記各実施形態に限定されるものではなく、要旨を変えない範囲で種々変形実施可能である。また、各実施形態のうちいずれか複数の実施形態を適宜に組み合わせて１つの実施形態とすることも可能である。各実施形態に開示されている構成要素のうちいずれか複数の構成要素を適宜に組合せることも可能である。
【図面の簡単な説明】
【００４６】
【図１】この発明の各実施形態における室内機の外観斜視図。
【図２】各実施形態における室内機の制御回路を示すブロック図。
【図３】第１の実施形態における室内制御部の要部の構成を示すブロック図。
【図４】各実施形態におけるオン，オフデューティと電力推定値との関係を示す図。
【図５】第２の実施形態における室内制御部の要部の構成を示すブロック図。
【図６】第２の実施形態における負荷と補正値との関係を示す図。
【図７】第２の実施形態における上下方向ルーバの角度と補正値との関係を示す図。
【図８】第２の実施形態における左右方向ルーバの角度と補正値との関係を示す図。
【図９】第３の実施形態における室内制御部の要部の構成を示すブロック図。
【図１０】第３の実施形態における交流電圧と補正値との関係を示す図。
【図１１】第４の実施形態における室内制御部の要部の構成を示すブロック図。
【図１２】第４の実施形態における室内熱交換器温度と補正値との関係を示す図。
【符号の説明】
【００４７】
１…室内機、２…可動パネル、３…吸込口、４…吹出口、５ａ…上下方向ルーバ、５ｂ…左右方向ルーバ、１２…室内ファンモータ、２０…表示ユニット、５０…室内基板、５１…電源回路、５２…インバータ、６０…室内制御部、６１，６３，６４，６５…駆動回路、１００…総電力算出部、１０１…メモリ、１０２…室外機電力検出部、１０３…ファンモータ電力推定部、１０５…補正値Ｅａ決定部、１０６…Ｌａｖ入力部、１０７…補正値Ｅｂ決定部、１０８…Ｌｂｖ入力部、１０９…補正値Ｅａｃ決定部、１１０…補正値Ｅｃ決定部
【図１】
2010096450.tif 000003
【図２】
2010096450.tif 000004
【図３】
2010096450.tif 000005
【図４】
2010096450.tif 000006
【図５】
2010096450.tif 000007
【図６】
2010096450.tif 000008
【図７】
2010096450.tif 000009
【図８】
2010096450.tif 000010
【図９】
2010096450.tif 000011
【図１０】
2010096450.tif 000012
【図１１】
2010096450.tif 000013
【図１２】
2010096450.tif 000014